(57)【要約】【課題】送信パケットを送信する通信局と送信パケットを受信する通信局とが親局と子局との関係を複数チャネルで確立しているか否かを適切に登録および認証する。【解決手段】基地局２は、ｎチャネルの各々に対応するｎ個のビーコンの各々をｎチャネル間で独立したデータとしてｎチャネルで並列に端末局３に送信し、端末局３は、ｎチャネルの各々に対応するｎ個の登録パケットやｎ個の認証パケットの各々をｎチャネル間で独立したデータとしてｎチャネルで並列に基地局２に送信し、基地局２は、ｎチャネルの各々に対応するｎ個の登録正否パケットやｎ個の認証正否パケットの各々をｎチャネル間で独立したデータとしてｎチャネルで並列に端末局３に送信する。【選択図】図１
2008211811.tif 000002
【特許請求の範囲】
【請求項１】
基地局や端末局を通信局として備えて構成され、一方の通信局が複数の送信パケットを他方の通信局に送信する無線通信システムであって、
一方の通信局は、複数チャネルの各々に対応する複数のビーコンの各々を複数チャネル間で独立したデータとして複数チャネルで並列に他方の通信局に送信し、
他方の通信局は、一方の通信局から複数のビーコンの各々が受信された後に、複数チャネルの各々に対応する複数の登録パケットや複数の認証パケットの各々を複数チャネル間で独立したデータとして複数チャネルで並列に一方の通信局に送信し、
一方の通信局は、他方の通信局から複数の登録パケットや複数の認証パケットの各々が受信された後に、複数チャネルの各々に対応する複数の登録正否パケットや複数の認証正否パケットの各々を複数チャネル間で独立したデータとして複数チャネルで並列に他方の通信局に送信することを特徴とする無線通信システム。
【請求項２】
請求項１に記載した無線通信システムにおいて、
一方の通信局は、複数のビーコンを同期させて他方の通信局に送信し、
他方の通信局は、複数の登録パケットや複数の認証パケットを同期させて一方の通信局に送信し、
一方の通信局は、複数の登録正否パケットや複数の認証正否パケットを同期させて他方の通信局に送信することを特徴とする無線通信システム。
【請求項３】
基地局または端末局により構成され、複数の送信パケットを他の通信局に送信する通信局であって、
複数チャネルの各々に対応する複数のビーコンの各々を複数チャネル間で独立したデータとして複数チャネルで並列に他の通信局に送信し、他の通信局から複数の登録パケットや複数の認証パケットの各々が受信された後に、複数チャネルの各々に対応する複数の登録正否パケットや複数の認証正否パケットの各々を複数チャネル間で独立したデータとして複数チャネルで並列に他の通信局に送信することを特徴とする通信局。
【請求項４】
基地局または端末局により構成され、他の通信局から複数の送信パケットを受信する通信局であって、
他の通信局から複数のビーコンの各々が受信された後に、複数チャネルの各々に対応する複数の登録パケットや複数の認証パケットの各々を複数チャネル間で独立したデータとして複数チャネルで並列に他の通信局に送信することを特徴とする通信局。
【請求項５】
基地局や端末局を通信局として備えて構成され、一方の通信局が複数の送信パケットを他方の通信局に送信する無線通信システムであって、
一方の通信局は、複数チャネルの各々に対応する複数のビーコンの各々を複数チャネル間で共通したデータとして複数チャネルで並列に他方の通信局に送信し、
他方の通信局は、一方の通信局から複数のビーコンの各々が受信された後に、複数チャネルの各々に対応する複数の登録パケットや複数の認証パケットの各々を複数チャネル間で共通したデータとして複数チャネルで並列に一方の通信局に送信し、
一方の通信局は、他方の通信局から複数の登録パケットや複数の認証パケットの各々が受信された後に、複数チャネルの各々に対応する複数の登録正否パケットや複数の認証正否パケットの各々を複数チャネル間で独立したデータとして複数チャネルで並列に他方の通信局に送信することを特徴とする無線通信システム。
【請求項６】
請求項５に記載した無線通信システムにおいて、
一方の通信局は、複数のビーコンを同期させて他方の通信局に送信し、
他方の通信局は、複数の登録パケットや複数の認証パケットを同期させて一方の通信局に送信し、
一方の通信局は、複数の登録正否パケットや複数の認証正否パケットを同期させて他方の通信局に送信することを特徴とする無線通信システム。
【請求項７】
請求項５または６に記載した無線通信システムにおいて、
一方の通信局は、複数のビーコンの各々に通信局毎に個別に付与された一方の通信局識別子を格納し、それら一方の通信局識別子が格納された複数のビーコンの各々を他方の通信局に送信し、
他方の通信局は、一方の通信局から受信された複数のビーコンの各々に格納されている一方の通信局識別子を複数チャネル間で共通するものとして認識して複数の登録パケットや複数の認証パケットの各々を一方の通信局に送信することを特徴とする無線通信システム。
【請求項８】
請求項５ないし７のいずれかに記載した無線通信システムにおいて、
他方の通信局は、複数の登録パケットや複数の認証パケットの各々に通信局毎に個別に付与された他方の通信局識別子を格納し、それら他方の通信局識別子が格納された複数の登録パケットや複数の認証パケットの各々を一方の通信局に送信し、
一方の通信局は、他方の通信局から受信された複数の登録パケットや複数の認証パケットの各々に格納されている他方の通信局識別子を複数チャネル間で共通するものとして認識して複数の登録正否パケットや複数の認証正否パケットの各々を他方の通信局に送信することを特徴とする無線通信システム。
【請求項９】
基地局または端末局により構成され、複数の送信パケットを他の通信局に送信する通信局であって、
複数チャネルの各々に対応する複数のビーコンの各々を複数チャネル間で共通したデータとして複数チャネルで並列に他の通信局に送信し、他の通信局から複数の登録パケットや複数の認証パケットの各々が受信された後に、複数チャネルの各々に対応する複数の登録正否パケットや複数の認証正否パケットの各々を複数チャネル間で独立したデータとして複数チャネルで並列に他の通信局に送信することを特徴とする通信局。
【請求項１０】
請求項９に記載した通信局において、
複数のビーコンの各々に通信局毎に個別に付与された自局の通信局識別子を格納し、それら自局の通信局識別子が格納された複数のビーコンの各々を他の通信局に送信することを特徴とする通信局。
【請求項１１】
請求項９または１０に記載した通信局において、
他の通信局から受信された複数の登録パケットや複数の認証パケットの各々に格納されている他の通信局識別子を複数チャネル間で共通するものとして認識して複数の登録正否パケットや複数の認証正否パケットの各々を他の通信局に送信することを特徴とする通信局。
【請求項１２】
基地局または通信局により構成され、他の通信局から複数の送信パケットを受信する通信局であって、
他の通信局から複数のビーコンの各々が受信された後に、複数チャネルの各々に対応する複数の登録パケットや複数の認証パケットの各々を複数チャネル間で共通したデータとして複数チャネルで並列に他の通信局に送信することを特徴とする通信局。
【請求項１３】
請求項１２に記載した通信局において、
複数の登録パケットや複数の認証パケットの各々に通信局毎に個別に付与された自局の通信局識別子を格納し、それら自局の通信局識別子が格納された複数の登録パケットや複数の認証パケットの各々を他の通信局に送信することを特徴とする通信局。
【請求項１４】
請求項１２または１３に記載した通信局において、
他の通信局から受信された複数のビーコンの各々に格納されている他の通信局識別子を複数チャネル間で共通するものとして認識して複数の登録パケットや複数の認証パケットの各々を他の通信局に送信することを特徴とする通信局。
【請求項１５】
基地局や端末局を通信局として備えて構成され、一方の通信局が複数の送信パケットを他方の通信局に送信する無線通信システムであって、
一方の通信局は、複数チャネルの各々に代表して対応する一のビーコンを専用の単一チャネルで他方の通信局に送信し、
他方の通信局は、一方の通信局から一のビーコンが受信された後に、複数チャネルの各々に代表して対応する一の登録パケットや一の認証パケットを専用の単一チャネルで一方の通信局に送信し、
一方の通信局は、他方の通信局から一の登録パケットや一の認証パケットが受信された後に、複数チャネルの各々に代表して対応する一の登録正否パケットや一の認証正否パケットを専用の単一チャネルで他方の通信局に送信することを特徴とする無線通信システム。
【請求項１６】
請求項１５に記載した無線通信システムにおいて、
一方の通信局は、一のビーコンに通信局毎に個別に付与された一方の通信局識別子を格納し、その一方の通信局識別子が格納された一のビーコンを他方の通信局に送信し、
他方の通信局は、一方の通信局から受信された一のビーコンに格納されている一方の通信局識別子を複数チャネル間で共通するものとして認識して一の登録パケットや一の認証パケットを一方の通信局に送信することを特徴とする無線通信システム。
【請求項１７】
請求項１５または１６に記載した無線通信システムにおいて、
他方の通信局は、一の登録パケットや一の認証パケットに通信局毎に個別に付与された他方の通信局識別子を格納し、その他方の通信局識別子が格納された一の登録パケットや一の認証パケットを一方の通信局に送信し、
一方の通信局は、他方の通信局から受信された一の登録パケットや一の認証パケットの各々に格納されている他方の通信局識別子を複数チャネル間で共通するものとして認識して一の登録正否パケットや一の認証正否パケットを他方の通信局に送信することを特徴とする無線通信システム。
【請求項１８】
基地局または端末局により構成され、複数の送信パケットを他方の通信局に送信する通信局であって、
複数チャネルの各々に代表して対応する一のビーコンを専用の単一チャネルで他の通信局に送信し、他の通信局から一の登録パケットや一の認証パケットが受信された後に、複数チャネルの各々に代表して対応する一の登録正否パケットや一の認証正否パケットを専用の単一チャネルで他の通信局に送信することを特徴とする通信局。
【請求項１９】
請求項１８に記載した通信局において、
一のビーコンに通信局毎に個別に付与された自局の通信局識別子を格納し、その自局の通信局識別子が格納された一のビーコンを他の通信局に送信することを特徴とする通信局。
【請求項２０】
請求項１８または１９に記載した通信局において、
他の通信局から受信された一の登録パケットや一の認証パケットの各々に格納されている他の通信局識別子を複数チャネル間で共通するものとして認識して一の登録正否パケットや一の認証正否パケットを他の通信局に送信することを特徴とする通信局。
【請求項２１】
基地局または端末局により構成され、他の通信局から複数の送信パケットを受信する通信局であって、
他の通信局から一のビーコンが受信された後に、複数チャネルの各々に代表して対応する一の登録パケットや一の認証パケットを専用の単一チャネルで他の通信局に送信することを特徴とする通信局。
【請求項２２】
請求項２１に記載した通信局において、
一の登録パケットや一の認証パケットに通信局毎に個別に付与された自局の通信局識別子を格納し、その自局の通信局識別子が格納された一の登録パケットや一の認証パケットを他の通信局に送信することを特徴とする通信局。
【請求項２３】
請求項２１または２２に記載した通信局において、
他の通信局から受信された一のビーコンに格納されている他の通信局識別子を複数チャネル間で共通するものとして認識して一の登録パケットや一の認証パケットを他の通信局に送信することを特徴とする通信局。
【発明の詳細な説明】
【技術分野】
【０００１】
本発明は、基地局や端末局を通信局として備えて構成され、一方の通信局が複数の送信パケットを他方の通信局に送信する無線通信システム、前記無線通信システム内で用いられる通信局に関する。
【背景技術】
【０００２】
従来より、送信パケットを高速伝送することを目的として、送信パケットをｎ（ｎは２以上の自然数）個に分割し、分割された各々の分割送信パケットをｎチャネルで並列に送信するものがある（例えば特許文献１参照）。
【特許文献１】特開２００２−１９９０４７号公報
【発明の開示】
【発明が解決しようとする課題】
【０００３】
しかしながら、上記した特許文献１に記載したものでは、送信パケットを送信する通信局と送信パケットを受信する通信局とが親局と子局との関係を複数チャネルで確立しているか否かを登録および認証する必要がある。
【０００４】
本発明は、上記した事情に鑑みてなされたものであり、その目的は、一方の通信局が複数の送信パケットを他方の通信局に送信する構成において、送信パケットを送信する通信局と送信パケットを受信する通信局とが親局と子局との関係を複数チャネルで確立しているか否かを適切に登録および認証することができる無線通信システムを提供することにある。
【課題を解決するための手段】
【０００５】
請求項１に記載した無線通信システムによれば、一方の通信局は、複数チャネルの各々に対応する複数のビーコンの各々を複数チャネル間で独立したデータとして複数チャネルで並列に他方の通信局に送信し、他方の通信局は、一方の通信局から複数のビーコンの各々が受信されると、複数チャネルの各々に対応する複数の登録パケットや複数の認証パケットの各々を複数チャネル間で独立したデータとして複数チャネルで並列に一方の通信局に送信し、一方の通信局は、他方の通信局から複数の登録パケットや複数の認証パケットの各々が受信されると、複数チャネルの各々に対応する複数の登録正否パケットや複数の認証正否パケットの各々を複数チャネル間で独立したデータとして複数チャネルで並列に他方の通信局に送信する。
【０００６】
このように、一方の通信局と他方の通信局との間の複数チャネルの各々で、送信パケットを単一チャネルで送受信するときの登録および認証の手順と同様にして、ビーコン、登録パケット、登録正否パケット、認証パケットおよび認証正否パケットを送受信することにより、一方の通信局と他方の通信局とが親局と子局との関係を複数チャネルで確立しているか否かを適切に登録および認証することができる。
【０００７】
また、一方の通信局が送信パケットを単一チャネルで送信するときであっても、送信パケットを単一チャネルで受信するように設計された他方の通信局との間で、一方の通信局と他方の通信局とが単一チャネルで親局と子局との関係であるか否かを適切に登録および認証することができ、送信パケットを複数チャネルで並列に受信する通信局と送信パケットを単一チャネルで受信する通信局とを共存させることができる。さらに、送信パケットを単一チャネルで送受信するときの登録および認証の手順を使用することができ、通信制御手順の変更などを極力抑えることができる。
【０００８】
請求項２に記載した無線通信システムによれば、一方の通信局は、複数のビーコンを同期させて他方の通信局に送信し、他方の通信局は、複数の登録パケットや複数の認証パケットを同期させて一方の通信局に送信し、一方の通信局は、複数の登録正否パケットや複数の認証正否パケットを同期させて他方の通信局に送信する。これにより、ビーコン、登録パケット、登録正否パケット、認証パケットおよび認証正否パケットを送受信する際にチャネルを占有する時間を極力抑えることができ、チャネルを有効に利用することができる。
【０００９】
請求項３に記載した通信局によれば、複数チャネルの各々に対応する複数のビーコンの各々を複数チャネル間で独立したデータとして複数チャネルで並列に他の通信局に送信し、他の通信局から複数の登録パケットや複数の認証パケットの各々が受信されると、複数チャネルの各々に対応する複数の登録正否パケットや複数の認証正否パケットの各々を複数チャネル間で独立したデータとして複数チャネルで並列に他の通信局に送信する。これにより、他の通信局との間の複数チャネルの各々で、送信パケットを単一チャネルで送受信するときの登録および認証の手順と同様にして、ビーコン、登録パケット、登録正否パケット、認証パケットおよび認証正否パケットを送受信することにより、自局と他の通信局とが親局と子局との関係を複数チャネルで確立しているか否かを適切に登録および認証することができる。
【００１０】
請求項４に記載した通信局によれば、他の通信局から複数のビーコンの各々が受信されると、複数チャネルの各々に対応する複数の登録パケットや複数の認証パケットの各々を複数チャネル間で独立したデータとして複数チャネルで並列に他の通信局に送信する。これにより、他の通信局との間の複数チャネルの各々で、送信パケットを単一チャネルで送受信するときの登録および認証の手順と同様にして、ビーコン、登録パケット、登録正否パケット、認証パケットおよび認証正否パケットを送受信することにより、他の通信局と自局とが親局と子局との関係を複数チャネルで確立しているか否かを適切に登録および認証することができる。
【００１１】
請求項５に記載した無線通信システムによれば、一方の通信局は、複数チャネルの各々に対応する複数のビーコンの各々を複数チャネル間で共通したデータとして複数チャネルで並列に他方の通信局に送信し、他方の通信局は、一方の通信局から複数のビーコンの各々が受信されると、複数チャネルの各々に対応する複数の登録パケットや複数の認証パケットの各々を複数チャネル間で共通したデータとして複数チャネルで並列に一方の通信局に送信し、一方の通信局は、他方の通信局から複数の登録パケットや複数の認証パケットの各々が受信されると、複数チャネルの各々に対応する複数の登録正否パケットや複数の認証正否パケットの各々を複数チャネル間で独立したデータとして複数チャネルで並列に他方の通信局に送信する。
【００１２】
このように、上記した請求項１に記載したものと同様にして、一方の通信局と他方の通信局との間の複数チャネルの各々で、送信パケットを単一チャネルで送受信するときの登録および認証の手順と同様にして、ビーコン、登録パケット、登録正否パケット、認証パケットおよび認証正否パケットを送受信することにより、一方の通信局と他方の通信局とが親局と子局との関係を複数チャネルで確立しているか否かを適切に登録および認証することができる。
【００１３】
また、一方の通信局が送信パケットを単一チャネルで送信するときであっても、送信パケットを単一チャネルで受信するように設計された他方の通信局との間で、一方の通信局と他方の通信局とが単一チャネルで親局と子局との関係であるか否かを適切に登録および認証することができ、送信パケットを複数チャネルで並列に受信する通信局と送信パケットを単一チャネルで受信する通信局とを共存させることができる。さらに、送信パケットを単一チャネルで送受信するときの登録および認証の手順を使用することができ、通信制御手順の変更などを極力抑えることができる。
【００１４】
しかも、この場合は、一方の通信局が複数のビーコンの各々を複数チャネル間で共通したデータとして他方の通信局に送信すると共に、他方の通信局が複数の登録パケットや複数の認証パケットの各々を複数チャネル間で共通したデータとして一方の通信局に送信することにより、複数のビーコンの各々を互いに相違するデータとして管理する旨を不要とすることができると共に、複数の登録パケットや複数の認証パケットの各々を互いに相違するデータとして管理する旨を不要とすることができ、制御を簡易にすることができる。
【００１５】
請求項６に記載した無線通信システムによれば、一方の通信局は、複数のビーコンを同期させて他方の通信局に送信し、他方の通信局は、複数の登録パケットや複数の認証パケットを同期させて一方の通信局に送信し、一方の通信局は、複数の登録正否パケットや複数の認証正否パケットを同期させて他方の通信局に送信する。これにより、上記した請求項２に記載したものと同様にして、ビーコン、登録パケット、登録正否パケット、認証パケットおよび認証正否パケットを送受信する際にチャネルを占有する時間を極力抑えることができ、チャネルを有効に利用することができる。
【００１６】
請求項７に記載した無線通信システムによれば、一方の通信局は、複数のビーコンの各々に通信局毎に個別に付与された一方の通信局識別子を格納し、それら一方の通信局識別子が格納された複数のビーコンの各々を他方の通信局に送信し、他方の通信局は、一方の通信局から受信された複数のビーコンの各々に格納されている一方の通信局識別子を複数チャネル間で共通するものとして認識して複数の登録パケットや複数の認証パケットの各々を一方の通信局に送信する。
【００１７】
これにより、一方の通信局では、一方の通信局識別子が格納された複数のビーコンの各々を他方の通信局に送信することにより、自局を他方の通信局に認識させることができ、これに伴って、他方の通信局では、一方の通信局から受信された複数のビーコンの各々に格納されている一方の通信局識別子を複数チャネル間で共通するものとして認識することにより、一方の通信局が複数チャネルで共通する親局である旨を認識することができる。
【００１８】
請求項８に記載した無線通信システムによれば、他方の通信局は、複数の登録パケットや複数の認証パケットの各々に通信局毎に個別に付与された他方の通信局識別子を格納し、それら他方の通信局識別子が格納された複数の登録パケットや複数の認証パケットの各々を一方の通信局に送信し、一方の通信局は、他方の通信局から受信された複数の登録パケットや複数の認証パケットの各々に格納されている他方の通信局識別子を複数チャネル間で共通するものとして認識して複数の登録正否パケットや複数の認証正否パケットの各々を他方の通信局に送信する。
【００１９】
これにより、他方の通信局では、他方の通信局識別子が格納された複数の登録パケットや複数の認証パケットの各々を一方の通信局に送信することにより、自局を一方の通信局に認識させることができ、これに伴って、一方の通信局では、他方の通信局から受信された複数の登録パケットや複数の認証パケットの各々に格納されている他方の通信局識別子を複数チャネル間で共通するものとして認識することにより、他方の通信局が複数チャネルで共通する子局である旨を認識することができる。
【００２０】
請求項９に記載した通信局によれば、複数チャネルの各々に対応する複数のビーコンの各々を複数チャネル間で共通したデータとして複数チャネルで並列に他の通信局に送信し、他の通信局から複数の登録パケットや複数の認証パケットの各々が受信されると、複数チャネルの各々に対応する複数の登録正否パケットや複数の認証正否パケットの各々を複数チャネル間で独立したデータとして複数チャネルで並列に他の通信局に送信する。これにより、上記した請求項３に記載したものと同様にして、他の通信局との間の複数チャネルの各々で、送信パケットを単一チャネルで送受信するときの登録および認証の手順と同様にして、ビーコン、登録パケット、登録正否パケット、認証パケットおよび認証正否パケットを送受信することにより、自局と他の通信局とが親局と子局との関係を複数チャネルで確立しているか否かを適切に登録および認証することができる。
【００２１】
請求項１０に記載した通信局によれば、複数のビーコンの各々に通信局毎に個別に付与された自局の通信局識別子を格納し、それら自局の通信局識別子が格納された複数のビーコンの各々を他の通信局に送信する。これにより、自局の通信局識別子が格納された複数のビーコンの各々を他の通信局に送信することにより、自局を他の通信局に認識させることができる。
【００２２】
請求項１１に記載した通信局によれば、他の通信局から受信された複数の登録パケットや複数の認証パケットの各々に格納されている他の通信局識別子を複数チャネル間で共通するものとして認識して複数の登録正否パケットや複数の認証正否パケットの各々を他の通信局に送信する。これにより、他の通信局から受信された複数の登録パケットや複数の認証パケットの各々に格納されている他の通信局識別子を複数チャネル間で共通するものとして認識することにより、他の通信局が複数チャネルで共通する子局である旨を認識することができる。
【００２３】
請求項１２に記載した通信局によれば、他の通信局から複数のビーコンの各々が受信されると、複数チャネルの各々に対応する複数の登録パケットや複数の認証パケットの各々を複数チャネル間で共通したデータとして複数チャネルで並列に他の通信局に送信する。これにより、上記した請求項４に記載したものと同様にして、他の通信局との間の複数チャネルの各々で、送信パケットを単一チャネルで送受信するときの登録および認証の手順と同様にして、ビーコン、登録パケット、登録正否パケット、認証パケットおよび認証正否パケットを送受信することにより、他の通信局と自局とが親局と子局との関係を複数チャネルで確立しているか否かを適切に登録および認証することができる。
【００２４】
請求項１３に記載した通信局によれば、複数の登録パケットや複数の認証パケットの各々に通信局毎に個別に付与された自局の通信局識別子を格納し、それら自局の通信局識別子が格納された複数の登録パケットや複数の認証パケットの各々を他の通信局に送信する。これにより、自局の通信局識別子が格納された複数の登録パケットや複数の認証パケットの各々を他の通信局に送信することにより、自局を他の通信局に認識させることができる。
【００２５】
請求項１４に記載した通信局によれば、他の通信局から受信された複数のビーコンの各々に格納されている他の通信局識別子を複数チャネル間で共通するものとして認識して複数の登録パケットや複数の認証パケットの各々を他の通信局に送信する。これにより、他の通信局から受信された複数のビーコンの各々に格納されている他の通信局識別子を複数チャネル間で共通するものとして認識することにより、他の通信局が複数チャネルで共通する親局である旨を認識することができる。
【００２６】
請求項１５に記載した無線通信システムによれば、一方の通信局は、複数チャネルの各々に代表して対応する一のビーコンを専用の単一チャネルで他方の通信局に送信し、他方の通信局は、一方の通信局から一のビーコンが受信されると、複数チャネルの各々に代表して対応する一の登録パケットや一の認証パケットを専用の単一チャネルで一方の通信局に送信し、一方の通信局は、他方の通信局から一の登録パケットや一の認証パケットが受信されると、複数チャネルの各々に代表して対応する一の登録正否パケットや一の認証正否パケットを専用の単一チャネルで他方の通信局に送信する。
【００２７】
このように、一方の通信局と他方の通信局との間の複数チャネルを代表する専用の単一チャネルで、送信パケットを単一チャネルで送受信するときの登録および認証の手順と同様にして、ビーコン、登録パケット、登録正否パケット、認証パケットおよび認証正否パケットを送受信することにより、上記した請求項１や請求項５に記載したものと同様にして、一方の通信局と他方の通信局とが親局と子局との関係を複数チャネルで確立しているか否かを適切に登録および認証することができる。
【００２８】
また、送信パケットを単一チャネルで受信するように設計された他方の通信局との間でも、一方の通信局と他方の通信局とが単一チャネルで親局と子局との関係であるか否かを適切に登録および認証することができ、送信パケットを複数チャネルで並列に受信する通信局と送信パケットを単一チャネルで受信する通信局とを共存させることができる。さらに、送信パケットを単一チャネルで送受信するときの登録および認証の手順を使用することができ、通信制御手順の変更などを極力抑えることができる。
【００２９】
しかも、この場合は、一方の通信局が一のビーコンを送信すると共に、他方の通信局が一の登録パケットや一の認証パケットを一方の通信局に送信することにより、上記した請求項５に記載したものと同様にして、複数のビーコンの各々を互いに相違するデータとして管理する旨を不要とすることができると共に、複数の登録パケットや複数の認証パケットの各々を互いに相違するデータとして管理する旨を不用とすることができ、制御を簡易にすることができる。
【００３０】
請求項１６に記載した無線通信システムによれば、一方の通信局は、一のビーコンに通信局毎に個別に付与された一方の通信局識別子を格納し、その一方の通信局識別子が格納された一のビーコンを他方の通信局に送信し、他方の通信局は、一方の通信局から受信された一のビーコンに格納されている一方の通信局識別子を複数チャネル間で共通するものとして認識して一の登録パケットや一の認証パケットを一方の通信局に送信する。
【００３１】
これにより、一方の通信局では、一方の通信局識別子が格納された一のビーコンの各々を他方の通信局に送信することにより、自局を他方の通信局に認識させることができ、これに伴って、他方の通信局では、一方の通信局から受信された一のビーコンに格納されている一方の通信局識別子を複数チャネル間で共通するものとして認識することにより、一方の通信局が複数チャネルで共通する親局である旨を認識することができる。
【００３２】
請求項１７に記載した無線通信システムによれば、他方の通信局は、一の登録パケットや一の認証パケットに通信局毎に個別に付与された他方の通信局識別子を格納し、その他方の通信局識別子が格納された一の登録パケットや一の認証パケットを一方の通信局に送信し、一方の通信局は、他方の通信局から受信された一の登録パケットや一の認証パケットの各々に格納されている他方の通信局識別子を複数チャネル間で共通するものとして認識して一の登録正否パケットや一の認証正否パケットを他方の通信局に送信する。
【００３３】
これにより、他方の通信局では、他方の通信局識別子が格納された一の登録パケットや一の認証パケットを一方の通信局に送信することにより、自局を一方の通信局に認識させることができ、これに伴って、一方の通信局では、他方の通信局から受信された一の登録パケットや一の認証パケットに格納されている他方の通信局識別子を複数チャネル間で共通するものとして認識することにより、他方の通信局が複数チャネルで共通する子局である旨を認識することができる。
【００３４】
請求項１８に記載した通信局によれば、複数チャネルの各々に代表して対応する一のビーコンを専用の単一チャネルで他の通信局に送信し、他の通信局から一の登録パケットや一の認証パケットが受信されると、複数チャネルの各々に代表して対応する一の登録正否パケットや一の認証正否パケットを専用の単一チャネルで他の通信局に送信する。これにより、他の通信局との間の複数チャネルを代表する専用の単一チャネルで、送信パケットを単一チャネルで送受信するときの登録および認証の手順と同様にして、ビーコン、登録パケット、登録正否パケット、認証パケットおよび認証正否パケットを送受信することにより、上記した請求項３や請求項９に記載したものと同様にして、自局と他の通信局とが親局と子局との関係を複数チャネルで確立しているか否かを適切に登録および認証することができる。
【００３５】
請求項１９に記載した通信局によれば、一のビーコンに通信局毎に個別に付与された自局の通信局識別子を格納し、その自局の通信局識別子が格納された一のビーコンを他の通信局に送信する。これにより、自局の通信局識別子が格納された一のビーコンの各々を他の通信局に送信することにより、自局を他の通信局に認識させることができる。
【００３６】
請求項２０に記載した通信局によれば、他の通信局から受信された一の登録パケットや一の認証パケットの各々に格納されている他の通信局識別子を複数チャネル間で共通するものとして認識して一の登録正否パケットや一の認証正否パケットを他の通信局に送信する。これにより、他の通信局から受信された一の登録パケットや一の認証パケットに格納されている他の通信局識別子を複数チャネル間で共通するものとして認識することにより、他の通信局が複数チャネルで共通する子局である旨を認識することができる。
【００３７】
請求項２１に記載した通信局によれば、他の通信局から一のビーコンが受信されると、複数チャネルの各々に代表して対応する一の登録パケットや一の認証パケットを専用の単一チャネルで他の通信局に送信する。これにより、他の通信局との間の複数チャネルを代表する専用の単一チャネルで、送信パケットを単一チャネルで送受信するときの登録および認証の手順と同様にして、ビーコン、登録パケット、登録正否パケット、認証パケットおよび認証正否パケットを送受信することにより、上記した請求項４や請求項１２に記載したものと同様にして、他の通信局と自局とが親局と子局との関係を複数チャネルで確立しているか否かを適切に登録および認証することができる。
【００３８】
請求項２２に記載した通信局によれば、一の登録パケットや一の認証パケットに通信局毎に個別に付与された自局の通信局識別子を格納し、その自局の通信局識別子が格納された一の登録パケットや一の認証パケットを他の通信局に送信する。これにより、自局の通信局識別子が格納された一の登録パケットや一の認証パケットを他の通信局に送信することにより、自局を他の通信局に認識させることができる。
【００３９】
請求項２３に記載した通信局によれば、他の通信局から受信された一のビーコンに格納されている他の通信局識別子を複数チャネル間で共通するものとして認識して一の登録パケットや一の認証パケットを一方の通信局に送信する。これにより、他の通信局から受信された一のビーコンに格納されている他の通信局識別子を複数チャネル間で共通するものとして認識することにより、他の通信局が複数チャネルで共通する親局である旨を認識することができる。
【発明を実施するための最良の形態】
【００４０】
以下、本発明の一実施例について、図面を参照して説明する。まず、図１は、無線通信システムの構成を概略的に示している。無線通信システム１は、基地局２と端末局３とを備えて構成され、基地局２と端末局３との間で送信パケットを送受信するように構成されている。尚、これ以降、基地局２が送信パケットを端末局３に送信する場合を説明するが、端末局３が送信パケットを基地局２に送信する場合も同様である。また、基地局２が送信パケットを他の基地局２に送信する場合や、端末局３が送信パケットを他の端末局３に送信する場合も同様である。
【００４１】
図２は、基地局２の構成を機能ブロック図として示している。基地局２は、通信制御部４と、モデム５と、ＩＦ部６と、ＲＦ部７とを備えて構成されている。通信制御部４は、基地局２の動作全般を制御するチャネルコントローラ８と、端末局３に送信する送信パケットを一時的に蓄積する送信バッファ９と、端末局３から受信された受信パケットを一時的に蓄積する受信バッファ１０と、複数チャネル（ｎ（ｎは２以上の自然数）チャネル）の各々に対応する送信制御部１１１〜１１ｎおよび受信制御部１２１〜１２ｎとを備えて構成されている。
【００４２】
送信バッファ９は、例えばイーサネット（登録商標）から送信パケットが入力される。各送信制御部１１１〜１１ｎは、送信バッファ９からチャネルコントローラ８を通じて送信パケットが入力されると、入力された送信パケットを送信処理して各モデム５１〜５ｎに出力する。各モデム５１〜５ｎは、各送信制御部１１１〜１１ｎから送信処理された送信パケットが入力されると、入力された送信パケットのデータ列を変調処理して各ＩＦ部６１〜６ｎに出力する。
【００４３】
各ＩＦ部６１〜６ｎは、各モデム５１〜５ｎから送信パケットのデータ列を変調処理された信号が入力されると、入力された信号を所定周波数までアップコンバートしてＲＦ部７に出力する。そして、ＲＦ部７は、各ＩＦ部６１〜６ｎからアップコンバートされた信号が入力されると、入力された信号をアップコンバートすると共に複数チャネル分の加算処理を行ってアンテナ１３から送信電波として放射する。
【００４４】
上記した構成では、チャネルコントローラ８は、各送信制御部１１１〜１１ｎ、各受信制御部１２１〜１２ｎおよび各モデム５１〜５ｎに制御信号を出力することにより、それら各送信制御部１１１〜１１ｎ、各受信制御部１２１〜１２ｎおよび各モデム５１〜５ｎを制御する。尚、図２では、制御信号の流れを破線矢印にて示しており、送信パケットや受信パケットの流れを実線矢印にて示している。
【００４５】
次に、上記した構成の作用について、図３ないし図１５を参照して説明する。ここでは、
（１）基地局２が複数の送信パケットの各々をパケット単位のまま複数チャネルで並列に
端末局３に送信する処理
（２）基地局２と端末局３とが親局と子局との関係を複数チャネルで確立しているか否か
を登録および認証する処理（本発明でいう請求項１ないし請求項２３に相当する処
理）
の各々について、順次説明する。
（１）基地局２が複数の送信パケットの各々をパケット単位のまま複数チャネルで並列に
端末局３に送信する処理
まず、「基地局２が複数の送信パケットの各々をパケット単位のまま複数チャネルで並列に端末局３に送信する処理」について、図３ないし図１２を参照して説明する。図３は、基地局２におけるチャネルコントローラ８が行う処理をフローチャートとして示している。
【００４６】
チャネルコントローラ８は、送信パケットが送信バッファ９内に蓄積されたか否かを定期的に監視しており（ステップＳ１）、送信パケットが送信バッファ９内に蓄積された旨を検出すると（ステップＳ１にて「ＹＥＳ」）、送信カウンタ（送信タイマ）をスタートさせる（ステップＳ２）。
【００４７】
次いで、チャネルコントローラ８は、送信バッファ９内に蓄積された送信パケットの個数が予め規定された規定個数に到達したか否かを監視すると同時に（ステップＳ３）、送信カウンタがカウントアップ（タイムアップ）したか否かを監視する（ステップＳ４）。この場合、規定個数は、送信制御部１１１〜１１ｎ（モデム５１〜５ｎやＩＦ部６１〜６ｎ）のハードウェア上の個数以下の個数に相当するものであり、ここでは、「ｎ」として説明する。
【００４８】
さて、チャネルコントローラ８は、図４に示すように、送信カウンタがカウントアップするよりも先に、送信バッファ９内に蓄積された送信パケットの個数が予め規定されたｎ個に到達した旨を検出すると（ステップＳ３にて「ＹＥＳ」）、その時点で送信バッファ９内に蓄積されているｎ個の送信パケットを送信バッファ９から各送信制御部１１１〜１１ｎに出力させることにより、ｎ個の送信パケットをｎチャネルで並列に端末局３に送信させる（ステップＳ５）。
【００４９】
そして、チャネルコントローラ８は、送信カウンタをリセットし（ステップＳ６）、ステップＳ１に戻って上記した処理を繰返して行う。
これに対して、チャネルコントローラ８は、図５に示すように、送信バッファ９内に蓄積された送信パケットの個数が予め規定されたｎ個に到達するよりも先に、送信カウンタがカウントアップした旨を検出すると（ステップＳ４にて「ＹＥＳ」）、その時点で送信バッファ９内に蓄積されているｎ個未満（ここでは、（ｎ−１）個）の送信パケットを送信バッファ９からｎ個未満の各送信制御部に出力させることにより、ｎ個未満の送信パケットをｎ個未満のチャネルで並列に端末局３に送信させる（ステップＳ７）。
【００５０】
そして、チャネルコントローラ８は、送信カウンタをリセットし（ステップＳ８）、ステップＳ１に戻って上記した処理を繰返して行う。尚、チャネルコントローラ８は、送信カウンタがカウントアップした時点で送信バッファ９内に蓄積されている送信パケットの個数が（ｎ−１）個未満であれば、（ｎ−１）個未満の送信パケットを送信させる。尚、図４および図５では、送信カウンタの規定カウント時間（スタートからカウントアップするまでの時間）を「Ｔ１」として示しており、送信カウンタの規定カウント時間は、例えばシステムの形態などに応じて任意に設定可能な時間である。
【００５１】
以上に説明した処理により、基地局２は、ｎ個の送信パケットの各々を分割して端末局３に送信するのではなく、ｎ個の送信パケットの各々をパケット単位のままｎチャネルで並列に端末局３に送信する。
【００５２】
ところで、基地局２は、図６に示すように、パケット長（データ容量）が全て同一のｎ個の送信パケットをｎチャネルで並列に端末局３に送信することが可能であるのは勿論であるが、図７に示すように、パケット長が異なるｎ個の送信パケットをｎチャネルで並列に端末局３に送信することも可能である（図７では、送信パケット（２）のパケット長が他と異なる）。
【００５３】
また、基地局２は、送信パケットを端末局３に送信した後では、図８ないし図１０に示すように、端末局３からＡＣＫパケットが規定時間内に受信されたか否かを監視し、端末局３からＡＣＫパケットが規定時間内に受信されなかった旨を検出したときには、その端末局３に正常に受信されなかった送信パケットを再送することも可能である。
【００５４】
具体的に説明すると、基地局２は、送信パケットを端末局３に送信した直後に、ＡＣＫパケット受信カウンタをスタートさせ、端末局３からＡＣＫパケットが受信されたか否かを監視すると同時に、ＡＣＫパケット受信カウンタがカウントアップしたか否かを監視する。そして、基地局２は、ＡＣＫパケット受信カウンタがカウントアップするよりも先に、端末局３からＡＣＫパケットが受信された旨を検出すると、送信パケットが端末局３に正常に受信された旨を認識する。
【００５５】
これに対して、基地局２は、端末局３からＡＣＫパケットが受信されるよりも先に、ＡＣＫパケット受信カウンタがカウントアップした旨を検出すると、送信パケットが端末局３に正常に受信されなかった旨を認識し、端末局３に正常に受信されなかった送信パケットを再送する。
【００５６】
この場合、基地局２は、図９に示すように、ＡＣＫパケット受信カウンタがカウントアップした旨を検出してから所定個数の送信パケット（図９では、送信パケット（４）〜送信パケット（６））を送信した後に、端末局３に正常に受信されなかった送信パケット（図９では、送信パケット（３））を再送することも可能であり、また、図１０に示すように、ＡＣＫパケット受信カウンタがカウントアップした直後に、端末局３に正常に受信されなかった送信パケット（図１０でも、送信パケット（３））を再送することも可能である。尚、図９および図１０では、ＡＣＫパケット受信カウンタの規定カウント時間（スタートからカウントアップするまでの時間）を「Ｔ２」として示しており、ＡＣＫパケット受信カウンタの規定カウント時間も、上記した送信カウンタの規定カウント時間と同様にして、例えばシステムの形態などに応じて任意に設定可能な時間である。
【００５７】
また、基地局２は、送信パケットを端末局３に送信した後では、図１１および図１２に示すように、端末局３からＡＣＫパケットやＮＡＣＫパケットが受信されたか否かを監視し、端末局３からＮＡＣＫパケットが受信された旨を検出したときには、その端末局３に正常に受信されなかった送信パケットを再送することも可能である。
【００５８】
具体的に説明すると、端末局３は、基地局２から複数の送信パケットが受信されると、それら受信された複数の送信パケットの各々に対して、送信パケットが正常に受信された旨を検出したときには、ＡＣＫパケットを規定時間内に基地局２に送信し、これに対して、送信パケットが正常に受信されなかった旨を検出したときには、ＮＡＣＫパケットを規定時間内に基地局２に送信する。
【００５９】
これに伴って、基地局２は、端末局３からＡＣＫパケットが規定時間内に受信された旨を検出することにより、送信パケットが端末局３に正常に受信された旨を認識し、これに対して、端末局３からＮＡＣＫパケットが規定時間内に受信された旨を検出することにより、送信パケットが端末局３に正常に受信されなかった旨を認識する。そして、基地局２は、端末局３からＮＡＣＫパケットが受信された旨を検出すると、端末局３に正常に受信されなかった送信パケットを再送する。
【００６０】
この場合、基地局２は、図１１に示すように、端末局３からＮＡＣＫパケットが受信されてから所定個数の送信パケット（図１１では、送信パケット（４）〜送信パケット（６））を送信した後に、端末局３に正常に受信されなかった送信パケット（図１１では、送信パケット（３））を再送することも可能であり、また、図１２に示すように、端末局３からＮＡＣＫパケットが受信された直後に、端末局３に正常に受信されなかった送信パケット（図１２でも、送信パケット（３））を再送することも可能である。
（２）基地局２と端末局３とが親局と子局との関係を複数チャネルで確立しているか否か
を登録および認証する処理
次に、「基地局２と端末局３とが親局と子局との関係を複数チャネルで確立しているか否かを登録および認証する処理」について、図１３ないし図１５を参照して説明する。ここでは、基地局２と端末局３とが親局と子局との関係を複数チャネルで確立しているか否かを登録および認証する方法として、
（２−１）基地局２と端末局３との間でビーコン、登録パケットおよび認証パケットを独
立したデータとして複数チャネルで送受信することにより、基地局２と端末局
３とが親局と子局との関係を複数チャネルで確立しているか否かを登録および
認証する処理（本発明でいう請求項１ないし請求項４に相当する処理）
（２−２）基地局２と端末局３との間でビーコン、登録パケットおよび認証パケットを共
通したデータとして複数チャネルで送受信することにより、基地局２と端末局
３とが親局と子局との関係を複数チャネルで確立しているか否かを登録および
認証する処理（本発明でいう請求項５ないし請求項１４に相当する処理）
（２−３）基地局２と端末局３との間でビーコン、登録パケットおよび認証パケットを専
用の単一チャネルで送受信することにより、基地局２と端末局３とが親局と子
局との関係を複数チャネルで確立しているか否かを登録および認証する処理（
本発明でいう請求項１５ないし請求項２３に相当する処理）
の各々について、順次説明する。
【００６１】
この場合、基地局２は、端末局３から登録パケットが受信されることにより、端末局３からの登録の要求を受付け、端末局３の登録を正常に完了すると、端末局３から認証パケットが受信されることにより、端末局３からの認証の要求を受付ける。また、登録が正常に完了した後に引続いて認証を行い、認証が正常に完了するものと仮定して説明する。また、これ以降、基地局２がビーコンを端末局３に送信する場合を説明するが、端末局３がビーコンを基地局２に送信する場合も同様であり、さらに、基地局２がビーコンを他の基地局２に送信する場合や、端末局３がビーコンを他の端末局３に送信する場合も同様である。
（２−１）基地局２と端末局３との間でビーコン、登録パケットおよび認証パケットを独
立したデータとして複数チャネルで送受信することにより、基地局２と端末局
３とが親局と子局との関係を複数チャネルで確立しているか否かを登録および
認証する処理
まず、「基地局２と端末局３との間でビーコン、登録パケットおよび認証パケットを独立したデータとして複数チャネルで送受信することにより、基地局２と端末局３とが親局と子局との関係を複数チャネルで確立しているか否かを登録および認証する処理」について、図１３を参照して説明する。
【００６２】
基地局２は、ｎ個のビーコンの各々をｎチャネル間で独立したデータとしてｎチャネルで並列に端末局３に同期させて送信する。この場合、ｎ個のビーコンの各々に格納されている情報（ＢＳＳＩＤなど）は互いに相違している。次いで、端末局３は、基地局２からｎ個のビーコンが受信されると、ｎ個の登録パケットの各々をｎチャネル間で独立したデータとしてｎチャネルで並列に端末局３に同期させて送信する。
【００６３】
次いで、基地局２は、端末局３からｎ個の登録パケットが受信されると、端末局３からの登録の要求を受付け、登録を正常に完了すると、ｎ個の登録正否パケットの各々をｎチャネル間で独立したデータとしてｎチャネルで並列に端末局３に同期させて送信する。次いで、端末局３は、基地局２からｎ個の登録正否パケットが受信されると、ｎ個の認証パケットの各々をｎチャネル間で独立したデータとしてｎチャネルで並列に基地局２に同期させて送信する。
【００６４】
そして、基地局２は、端末局３からｎ個の認証パケットが受信されると、端末局３からの認証の要求を受付け、認証を正常に完了すると、ｎ個の認証正否パケットの各々をｎチャネル間で独立したデータとしてｎチャネルで並列に端末局３に同期させて送信する。
【００６５】
以上に説明した処理により、基地局２と端末局３との間のｎチャネルの各々で、送信パケットを単一チャネルで送受信するときの登録および認証の手順と同様にして、ビーコン、登録パケット、登録正否パケット、認証パケットおよび認証正否パケットを送受信することにより、基地局２と端末局３とが親局と子局との関係をｎチャネルで確立しているか否かを登録および認証する。
（２−２）基地局２と端末局３との間でビーコン、登録パケットおよび認証パケットを共
通したデータとして複数チャネルで送受信することにより、基地局２と端末局
３とが親局と子局との関係を複数チャネルで確立しているか否かを登録および
認証する処理
次に、「基地局２と端末局３との間でビーコン、登録パケットおよび認証パケットを共通したデータとして複数チャネルで送受信することにより、基地局２と端末局３とが親局と子局との関係を複数チャネルで確立しているか否かを登録および認証する処理」について、図１４を参照して説明する。
【００６６】
基地局２は、ｎ個のビーコンの各々に基地局２毎に個別に付与された基地局識別子を格納し、それら基地局識別子が格納されたｎ個のビーコンの各々をｎチャネル間で共通したデータとしてｎチャネルで並列に端末局３に同期させて送信する。
【００６７】
次いで、端末局３は、基地局２からｎ個のビーコンが受信されると、受信されたｎ個のビーコンの各々に格納されている基地局識別子をｎチャネルで共通するものとして認識し、ｎ個の登録パケットの各々に端末局３毎に個別に付与された端末局識別子を格納し、それら端末局識別子が格納されたｎ個の登録パケットの各々をｎチャネル間で共通したデータとしてｎチャネルで並列に基地局２に同期させて送信する。
【００６８】
次いで、基地局２は、端末局３からｎ個の登録パケットが受信されると、端末局３からの登録の要求を受付け、受信されたｎ個の登録パケットの各々に格納されている端末局識別子をｎチャネルで共通するものとして認識し、登録を正常に完了すると、ｎ個の登録正否パケットの各々をｎチャネル間で独立したデータとしてｎチャネルで並列に基地局２に同期させて送信する。
【００６９】
次いで、端末局３は、基地局２からｎ個の登録認証パケットが受信されると、ｎ個の認証パケットの各々に端末局３毎に個別に付与された端末局識別子を格納し、それら端末局識別子が格納されたｎ個の認証パケットの各々をｎチャネル間で共通したデータとしてｎチャネルで並列に基地局２に同期させて送信する。
【００７０】
そして、基地局２は、端末局３からｎ個の認証パケットが受信されると、端末局３からの認証の要求を受付け、受信されたｎ個の認証パケットの各々に格納されている端末局識別子をｎチャネルで共通するものとして認識し、端末局３がｎチャネルで共通する子局である旨を認識し、ｎ個のｎ個の認証正否パケットの各々をｎチャネル間で独立したデータとしてｎチャネルで並列に基地局２に同期させて送信する。
【００７１】
以上に説明した処理により、この場合も、基地局２と端末局３との間のｎチャネルの各々で、送信パケットを単一チャネルで送受信するときの登録および認証の手順と同様にして、ビーコン、登録パケット、登録正否パケット、認証パケットおよび認証正否パケットを送受信することにより、基地局２と端末局３とが親局と子局との関係をｎチャネルで確立しているか否かを登録および認証する。
（２−３）基地局２と端末局３との間でビーコン、登録パケットおよび認証パケットを専
用の単一チャネルで送受信することにより、基地局２と端末局３とが親局と子
局との関係を複数チャネルで確立しているか否かを登録および認証する処理
次に、「基地局２と端末局３との間でビーコン、登録パケットおよび認証パケットを専用の単一チャネルで送受信することにより、基地局２と端末局３とが親局と子局との関係を複数チャネルで確立しているか否かを登録および認証する処理」について、図１５を参照して説明する。
【００７２】
基地局２は、１個のビーコンに基地局２毎に個別に付与された基地局識別子を格納し、その基地局識別子が格納された１個のビーコンを専用の単一チャネル（図１５では、「ｆ１」）で端末局３に送信する。
【００７３】
次いで、端末局３は、基地局２からビーコンが受信されると、受信された１個のビーコンに格納されている基地局識別子をｎチャネルで共通するものとして認識し、１個の登録パケットに端末局３毎に個別に付与された端末局識別子を格納し、その端末局識別子が格納された１個の登録パケットを専用の単一チャネルで基地局２に送信する。
【００７４】
次いで、基地局２は、端末局３から登録パケットが受信されると、端末局３からの登録の要求を受付け、受信された１個の登録パケットに格納されている端末局識別子をｎチャネルで共通するものとして認識し、登録を正常に完了すると、１個の登録正否パケットを専用の単一チャネルで基地局２に送信する。
【００７５】
次いで、端末局３は、基地局２から登録正否パケットが受信されると、１個の認証パケットに端末局３毎に個別に付与された端末局識別子を格納し、その端末局識別子が格納された１個の認証パケットを専用の単一チャネルで基地局２に送信する。
【００７６】
そして、基地局２は、端末局３から認証パケットが受信されると、端末局３からの認証の要求を受付け、受信された１個の認証パケットに格納されている端末局識別子をｎチャネルで共通するものとして認識し、端末局３がｎチャネルで共通する子局である旨を認識し、１個の認証正否パケットを専用の単一チャネルで基地局２に送信する。
【００７７】
以上に説明した処理により、基地局２と端末局３との間のｎチャネルを代表する専用の単一チャネルで、送信パケットを単一チャネルで送受信するときの登録および認証の手順と同様にして、ビーコン、登録パケット、登録正否パケット、認証パケットおよび認証正否パケットを送受信することにより、基地局２と端末局３とが親局と子局との関係をｎチャネルで確立しているか否かを登録および認証する。
【００７８】
ところで、以上は、登録と認証とを同一の方法で行う場合を説明したものであるが、登録と認証とを別々の方法で行うことも可能である。つまり、例えば登録として上記した（２−１）の方法を採用し、認証として上記した（２−２）の方法を採用し、基地局２と端末局３とが親局と子局との関係を複数チャネルで確立しているか否かを登録および認証することも可能である。
【００７９】
以上に説明したように本実施例によれば、無線通信システム１において、基地局２が送信パケットを端末局３に送信する場合に、ｎ個の送信パケットの各々を分割して端末局３に送信するのではなく、ｎ個の送信パケットの各々をパケット単位のままｎチャネルで並列に端末局３に送信するように構成したので、基地局２では、送信パケットを分割する処理や分割送信パケットを再送する処理を不要とすることができると共に、端末局３では、分割送信パケットを受信する構成を不要とすることができ、基地局２の処理および端末局３の処理を簡易にすることができる。
【００８０】
また、端末局３として、送信パケットをｎチャネルで並列に受信するように設計された局を使用するのみならず、送信パケットを単一チャネルで受信するように設計された局をも使用することができ、送信パケットをｎチャネルで並列に受信する端末局３と送信パケットを単一チャネルで受信する端末局３とを共存させることができる。
【００８１】
また、送信カウンタがカウントアップするよりも先にｎ個の送信パケットの蓄積を完了すると、基地局２がｎ個の送信パケットの各々をパケット単位のままｎチャネルで端末局３に送信するように構成したので、ｎ個の送信パケットの蓄積を完了した時点で速やかにｎ個の送信パケットを端末局３に送信することができる。これに対して、ｎ個の送信パケットの蓄積を完了するよりも先に送信カウンタがカウントアップすると、基地局２がｎ個未満の送信パケットの各々をパケット単位のままｎ個未満のチャネルで端末局３に送信するように構成したので、予め送信遅延として許容され得る時間を送信カウンタのカウント時間として設定しておくことにより、送信パケットの送信遅延を最小限に抑えることができる。
【００８２】
また、送信パケットが正常に端末局３に受信されたときには、端末局３がＡＣＫパケットをｎチャネル間で独立したデータとして基地局２に送信するように構成したので、端末局３では、ＡＣＫパケットを基地局２に送信することにより、基地局２から送信パケットが正常に受信された旨を基地局２に認識させることができ、これに伴って、基地局２では、ＡＣＫパケット受信カウンタがカウントアップするよりも先に端末局３からＡＣＫパケットが受信されることにより、その以前に端末局３に送信した送信パケットが端末局３に正常に受信された旨を認識することができる。
【００８３】
そして、端末局３からＡＣＫパケットが受信されるよりも先にＡＣＫパケット受信カウンタがカウントアップすると、基地局２が端末局３に正常に受信されなかった送信パケットを端末局３に再送するように構成したので、端末局３では、基地局２から送信パケットが正常に受信されなかったとしても、その後、その基地局２から正常に受信されなかった送信パケットを受信する機会を得ることができる。また、送信パケットをパケット単位のまま再送することにより、単一の送信パケットを単一チャネルで再送するときの再送手順を使用することができ、通信制御手順の変更などを極力抑えることができる。
【００８４】
また、送信パケットが正常に端末局３に受信されたときには、端末局３がＡＣＫパケットをｎチャネル間で独立したデータとして基地局２に送信し、これに対して、送信パケットが正常に端末局３に受信されなかったときには、端末局３がＮＡＣＫパケットをｎチャネル間で独立したデータとして基地局２に送信するように構成したので、端末局３では、ＡＣＫパケットやＮＡＣＫパケットを基地局２に送信することにより、基地局２から送信パケットが正常に受信されたか否かを基地局２に認識させることができ、これに伴って、基地局２では、端末局３からＡＣＫパケットやＮＡＣＫパケットが受信されることにより、その以前に端末局３に送信した送信パケットが端末局３に正常に受信されたか否かを認識することができる。
【００８５】
そして、端末局３からＮＡＣＫパケットが基地局に受信されると、基地局２が端末局３に正常に受信されなかった送信パケットを端末局３に再送するように構成したので、この場合も、端末局３では、基地局２から送信パケットが正常に受信されなかったとしても、その後、その基地局２から正常に受信されなかった送信パケットを受信する機会を得ることができる。また、送信パケットをパケット単位のまま再送することにより、単一の送信パケットを単一チャネルで再送するときの再送手順を使用することができ、通信制御手順の変更などを極力抑えることができる。
【００８６】
また、無線通信システム１において、基地局２と端末局３とが親局と子局との関係をｎチャネルで確立しているか否かを登録および認証する第１の方法として、基地局２がｎチャネルの各々に対応するｎ個のビーコンの各々をｎチャネル間で独立したデータとしてｎチャネルで並列に端末局３に送信し、端末局３がｎチャネルの各々に対応するｎ個の登録パケットやｎ個の認証パケットの各々をｎチャネル間で独立したデータとしてｎチャネルで並列に基地局２に送信し、基地局２がｎチャネルの各々に対応するｎ個の登録正否パケットやｎ個の認証正否パケットの各々をｎチャネル間で独立したデータとしてｎチャネルで並列に端末局３に送信するように構成したので、基地局２と端末局３との間のｎチャネルの各々で、送信パケットを単一チャネルで送受信するときの登録および認証の手順と同様にして、ビーコン、登録パケット、登録正否パケット、認証パケットおよび認証正否パケットを送受信することにより、基地局２と端末局３とが親局と子局との関係をｎチャネルで確立しているか否かを適切に登録および認証することができる。
【００８７】
また、無線通信システム１において、基地局２と端末局３とが親局と子局との関係をｎチャネルで確立しているか否かを登録および認証する第２の方法として、基地局２がｎチャネルの各々に対応するｎ個のビーコンの各々をｎチャネル間で共通したデータとしてｎチャネルで並列に端末局３に送信し、端末局３がｎチャネルの各々に対応するｎ個の登録パケットやｎ個の認証パケットの各々をｎチャネル間で共通したデータとしてｎチャネルで並列に基地局２に送信し、基地局２がｎチャネルの各々に対応するｎ個の登録正否パケットやｎ個の認証正否パケットの各々をｎチャネル間で独立したデータとしてｎチャネルで並列に端末局３に送信するように構成したので、上記した第１の方法と同様にして、基地局２と端末局３との間のｎチャネルの各々で、送信パケットを単一チャネルで送受信するときの登録および認証の手順と同様にして、ビーコン、登録パケット、登録正否パケット、認証パケットおよび認証正否パケットを送受信することにより、基地局２と端末局３とが親局と子局との関係をｎチャネルで確立しているか否かを適切に登録および認証することができる。
【００８８】
また、無線通信システム１において、基地局２と端末局３とが親局と子局との関係をｎチャネルで確立しているか否かを適切に登録および認証する第３の方法として、基地局２がｎチャネルの各々に代表して対応する１個のビーコンを専用の単一チャネルで端末局３に送信し、端末局３がｎチャネルの各々に代表して対応する１個の登録パケットや１個の認証パケットを専用の単一チャネルで基地局２に送信し、基地局２がｎチャネルの各々に代表して対応する１個の登録正否パケットや１個の認証正否パケットを専用の単一チャネルで端末局３に送信するように構成したので、基地局２と端末局３との間のｎチャネルを代表する専用の単一チャネルで、送信パケットを単一チャネルで送受信するときの登録および認証の手順と同様にして、ビーコン、登録パケット、登録正否パケット、認証パケットおよび認証正否パケットを送受信することにより、上記した第１の方法や第２の方法と同様にして、基地局２と端末局３とが親局と子局との関係をｎチャネルで確立しているか否かを適切に登録および認証することができる。
【００８９】
そして、これら第１の方法、第２の方法および第３の方法では、端末局３が送信パケットを単一チャネルで受信するように設計された局であっても、基地局２と端末局３とが親局と子局との関係であるか否かを適切に登録および認証することができ、送信パケットをｎチャネルで並列に受信する端末局３と送信パケットを単一チャネルで受信する端末局３とを共存させることができる。また、送信パケットを単一チャネルで送受信するときの登録および認証の手順を使用することができ、通信制御手順の変更などを極力抑えることができる。
【００９０】
さらに、第２の方法および第３の方法では、上記した第１の方法と比較すると、ｎ個のビーコンの各々を互いに相違するデータとして管理する旨を不要とすることができると共に、ｎ個の登録パケットやｎ個の認証パケットの各々を互いに相違するデータとして管理する旨を不要とすることができ、制御を簡易にすることができる。
【００９１】
本発明は、上記した実施例にのみ限定されるものではなく、以下のように変形または拡張することができる。
送信パケットが送信バッファ内に蓄積されたか否かをチャネルコントローラが定期的に監視する構成に限らず、送信バッファがｎ個の送信パケットの蓄積が完了した時点で自発的にｎ個の送信パケットを各送信制御部に出力する構成であっても良い。
【図面の簡単な説明】
【００９２】
【図１】本発明の一実施例を概略的に示す図
【図２】基地局の構成を示す機能ブロック図
【図３】チャネルコントローラが行う処理を示すフローチャート
【図４】基地局が送信パケットを入力する態様および送信する態様を示す図
【図５】図４相当図
【図６】図４相当図
【図７】図４相当図
【図８】基地局が送信パケットを送信する態様および端末局がＡＣＫパケットを送信する態様を示す図
【図９】図８相当図
【図１０】図８相当図
【図１１】基地局が送信パケットを送信する態様および端末局がＡＣＫパケットやＮＡＣＫパケットを送信する態様を示す図
【図１２】図１１相当図
【図１３】基地局がビーコンや登録正否パケットや認証正否パケットを送信する態様および端末局が登録パケットや認証パケットを送信する態様を示す図
【図１４】図１３相当図
【図１５】図１３相当図
【符号の説明】
【００９３】
図面中、１は無線通信システム、２は基地局（一方の通信局）、３は端末局（他方の通信局）である。
【図１】
2008211811.tif 000003
【図２】
2008211811.tif 000004
【図３】
2008211811.tif 000005
【図４】
2008211811.tif 000006
【図５】
2008211811.tif 000007
【図６】
2008211811.tif 000008
【図７】
2008211811.tif 000009
【図８】
2008211811.tif 000010
【図９】
2008211811.tif 000011
【図１０】
2008211811.tif 000012
【図１１】
2008211811.tif 000013
【図１２】
2008211811.tif 000014
【図１３】
2008211811.tif 000015
【図１４】
2008211811.tif 000016
【図１５】
2008211811.tif 000017